(57)【要約】【課題】  光源から照射された光を蓄積する蓄光部分を保護することができ、組立性が良い発光パネルを提供する。【解決手段】  発光パネル１は、矩形板状のベース部２と、ベース部２に取り付けられる複数の蓄光部３と、蓄光部３を覆うカバー部４とを備える。ベース部２は、一面側（Ｓ１側）から他面側（Ｓ２側）へ光を透過する材質で形成されており、他面側（Ｓ２側）に蓄光部３を取り付ける複数の取付部２３を有する。太陽や照明等の光源から照射された光は、ベース部２の一面側（Ｓ１側）に入射し、ベース部２を透過して他面側（Ｓ２側）に取り付けた蓄光部３に蓄積される。光源からの光が入射するベース部２の一面側（Ｓ１側）が外部に露出するように配置される場合に、蓄光部３は、ベース部２の他面側（Ｓ２側）に配置されているため、外部から保護される。【選択図】図２
2016149293.tif 000002
【特許請求の範囲】
【請求項１】
板状のベース部と、該ベース部に取り付けられる複数の蓄光部と、該蓄光部を覆うカバー部とを備えた発光パネルにおいて、
前記ベース部は、一面側から他面側へ光を透過する材質で形成されており、前記他面側に前記蓄光部を取り付ける複数の取付部を有することを特徴とする発光パネル。
【請求項２】
前記蓄光部は、前記ベース部及び前記カバー部によって密閉されていることを特徴とする請求項１に記載の発光パネル。
【請求項３】
前記ベース部は軟質材で形成されていることを特徴とする請求項１又は請求項２に記載の発光パネル。
【請求項４】
前記取付部は筒状をなし、
前記蓄光部は柱状をなし、前記取付部に収容されていることを特徴とする請求項１から請求項３のいずれか１つに記載の発光パネル。
【請求項５】
前記カバー部は板状をなし、複数の蓄光部に嵌め合う複数の凹部を有することを特徴とする請求項１から請求項４のいずれか１つに記載の発光パネル。
【請求項６】
前記カバー部は白色に着色されていることを特徴とする請求項１から請求項５のいずれか１つに記載の発光パネル。
【請求項７】
前記蓄光部は周側部に白色に着色された隠蔽層を有することを特徴とする請求項１から請求項５のいずれか１つに記載の発光パネル。
【発明の詳細な説明】
【技術分野】
【０００１】
本発明は、例えば太陽、照明等の光源から照射された光を蓄積して発光する発光パネルに関する。
【背景技術】
【０００２】
従来より、太陽や照明等の光源から照射された光を蓄積する蓄光剤を塗布又は練り込んだ樹脂製パネルを用いた避難誘導用パネルが製品化されている。また、点字用の突起を有する誘導用プレートに蓄光剤を用いることによって、夜間や災害時の暗がりの中で発光させる技術が開発されてきた。
【０００３】
特許文献１には、蓄光部分を設けた誘導用プレートが開示されている。誘導用プレートは、プレートの表面から突出する複数の点字用凸部を有し、プレート表面の点字用凸部の中央部分に蓄光剤を含有するゴム又は樹脂からなる蓄光部分を配し、その周囲にゴム又は樹脂からなる補強部分を備える。蓄光部分は、あらかじめプレス成形又は射出成形により成形してあり、補強部分用の金型に成形済みの蓄光部分を置いて、未加硫の補強部分用ゴムをプレス、又は射出成形にて加硫することにより形成される。蓄光部分は、誘導用プレート表面の点字用凸部の中央部に露出して発光することで、夜間でも視認性が高まる。
【０００４】
特許文献２は誘導用プレートの製造方法を開示している。特許文献２に記載の誘導用プレートの製造方法は、下金型に設けた複数の凹部に熱可塑性樹脂製のブロック体を嵌め込み、その上に熱可塑性樹脂製のベースタイルを重ねて上金型と下金型で加熱プレスする方法を用いている。ブロック体は、着色樹脂層、その裏側に設けられた白色樹脂層、これらの樹脂層を被覆保護する透明な被覆樹脂層を有し、着色樹脂層に蓄光剤を含有することで発光する。ベースタイルは、熱可塑性樹脂に種々の着色剤を含有しており、ブロック体の着色樹脂層と色相、明度、彩度が異なることで、視覚的に変化に富んだ誘導用プレートとなる。ブロック体の着色樹脂層は、被覆樹脂層によって摩耗が防止される。
【先行技術文献】
【特許文献】
【０００５】
【特許文献１】特開２００６−２１９９３１号公報
【特許文献２】特開２００７−２１０１８７号公報
【発明の概要】
【発明が解決しようとする課題】
【０００６】
しかしながら、特許文献１に記載の誘導用プレートは、誘導用プレート表面の点字用凸部の中央に蓄光部分が露出しているため、周囲の補強部分とともに摩耗が進行するという問題点があった。また、蓄光部分が外部環境に曝されているため、風化によるゴム又は樹脂層の劣化や、水分の浸食によって蓄光性能が劣化するという問題点もあった。
【０００７】
また、特許文献２に記載の誘導用プレートの製造方法は、ブロック体が誘導用床タイルの表側に配置されるため、ブロック体とベースタイルとの接合部分において、万一、経年的な劣化が生じると、接合が弱くなってブロック体が剥がれるという懸念があった。また、ブロック体を下金型の凹部に嵌め込む際に、どのブロック体も浮きがなく均一に嵌め込む必要があり、手間と熟練を要していた。
【０００８】
本発明は、斯かる事情に鑑みてなされたものであり、その目的とするところは、光源から照射された光を蓄積する蓄光部分を保護することができ、組立性が良い発光パネルを提供することにある。
【課題を解決するための手段】
【０００９】
本発明に係る発光パネルは、板状のベース部と、該ベース部に取り付けられる複数の蓄光部と、該蓄光部を覆うカバー部とを備えた発光パネルにおいて、前記ベース部は、一面側から他面側へ光を透過する材質で形成されており、前記他面側に前記蓄光部を取り付ける複数の取付部を有することを特徴とする。本発明にあっては、光源から照射された光は、ベース部の一面側に入射し、ベース部を透過して他面側に取り付けた蓄光部に蓄積される。光源からの光が入射するベース部の一面側が外部に露出するように配置される場合に、蓄光部は、ベース部の他面側に配置されているため、外部から保護される。
【００１０】
本発明に係る発光パネルは、前記蓄光部が、前記ベース部及び前記カバー部によって密閉されていることを特徴とする。本発明にあっては、蓄光部がベース部及び前記カバー部によって密閉されているので、外部環境の影響による経年劣化が抑制される。
【００１１】
本発明に係る発光パネルは、前記ベース部は軟質材で形成されていることを特徴とする。本発明にあっては、ベース部が軟質材で形成されているので、凹凸のある路面に発光パネルを敷設した場合に、荷重を受けても柔軟に変形して破損を防止することができる。
【００１２】
本発明に係る発光パネルは、前記取付部は筒状をなし、前記蓄光部は柱状をなし、前記取付部に収容されていることを特徴とする。本発明にあっては、柱状の蓄光部は、例えば、蓄光剤を含有した樹脂等の材料を押出成形して棒状に加工し、軸方向に所定寸法で切断することで安価に製造することができるので、発光パネルの製造コストが低減化される。
【００１３】
本発明に係る発光パネルは、前記カバー部は板状をなし、複数の蓄光部に嵌め合う複数の凹部を有することを特徴とする。本発明にあっては、カバー部を複数の凹部を有する一体の部品とすることによって、カバー部の数量が少なくなり、発光パネルの部品点数を減らすことができる。
【００１４】
本発明に係る発光パネルは、前記カバー部は白色に着色されていることを特徴とする。本発明にあっては、カバー部は、白色に着色されているため、蓄光部に光を隠蔽する隠蔽層として機能する。
【００１５】
本発明に係る発光パネルは、前記蓄光部は周側部に白色に着色された隠蔽層を有することを特徴とする。本発明にあっては、蓄光部は、周側部に設けた隠蔽層によって発光量が高められる。
【発明の効果】
【００１６】
本発明によれば、発光パネルは、板状のベース部と、ベース部に取り付けられる複数の蓄光部と、蓄光部を覆うカバー部とを備える。ベース部は、一面側から他面側へ光を透過する材質で形成されており、他面側に蓄光部を取り付ける複数の取付部を有する。このため、光源から照射された光は、ベース部の一面側に入射し、ベース部を透過して他面側に取り付けた蓄光部に蓄積される。光源からの光が入射するベース部の一面側が外部に露出するように配置される場合に、蓄光部は、ベース部の他面側に配置されているため、外部から保護される。
【図面の簡単な説明】
【００１７】
【図１】本発明の実施の形態１に係る発光パネルの外観を示す斜視図である。
【図２】発光パネルの分解斜視図である。
【図３】図１のＸ−Ｘ線による発光パネルの断面図である。
【図４】１つの発光パネルによる表示機能を説明するための模式図である。
【図５】複数の発光パネルによる表示機能を説明するための模式図である。
【図６】本発明の実施の形態２に係る発光パネルの一部の分解斜視図である。
【図７】図６のＹ−Ｙ線による発光パネルの断面図である。
【図８】本発明の実施の形態３に係る発光パネルの外観を示す斜視図である。
【図９】発光パネルの分解斜視図である。
【図１０】図８のＺ−Ｚ線による発光パネルの断面図である。
【発明を実施するための形態】
【００１８】
以下、本発明に係る発光パネルの実施の形態を図面に基づいて説明する。
【００１９】
（実施の形態１）
図１は本発明の実施の形態１に係る発光パネル１の外観を示す斜視図、図２は発光パネル１の分解斜視図、図３は図１のＸ−Ｘ線による発光パネル１の断面図である。発光パネル１は、例えば、未舗装又は舗装された路面に複数個を敷設し、若しくは、建物又は構造物等の壁面に複数個を貼り付けて使用される。発光パネル１は、太陽や照明等の光源から照射された光を蓄積し、夜間や災害時の暗がりの中で発光する。
【００２０】
図１Ａは一面側（Ｓ１側）に人工芝を設けた発光パネル１の外観を示す斜視図であり、図１Ｂは一面側（Ｓ１側）に人工芝を設けていない発光パネル１の外観を示す斜視図である。発光パネル１は、ベース部２、蓄光部３、及びカバー部４を備える。蓄光部３及びカバー部４は、ベース部２の他面側（Ｓ２側）に配置されている。
【００２１】
ベース部２は矩形板状をなし、格子部材２１、補強部材２２、取付部２３、及び人工芝２４を有する。格子部材２１は縦横に延びる複数の細長い板材で形成されている。図１Ａ及び図１Ｂにおいて、格子部材２１は縦横にそれぞれ１１本の板材を並設して形成されているが、板材の本数は、この本数に限られるものではない。補強部材２２は格子部材２１の各格子の対角線上に配置されており、ベース部２の面内変形を抑制している。取付部２３は円筒状をなし、ベース部２の他面側（Ｓ２側）における格子部材２１の各格子点に設けられている。取付部２３は、基端部に円環状のフランジ２３ａを有する。フランジ２３ａは、図２に示すように円環板を取付部２３の先端側から嵌め込んで形成してもよいし、一体成型によって形成してもよい。また、円環板を取付部２３に嵌め込んでフランジ２３ａを形成する場合、Ｏ型リングを嵌合部分に取り付けると密閉性が高まる。尚、フランジ２３ａは、複数の取付部２３の全ての箇所、又は蓄光部３を配置する箇所に設ける。人工芝２４は多数の針葉状の部材からなり、格子部材２１及び補強部材２２から一面側（Ｓ１側）に伸びる。
【００２２】
ベース部２における格子部材２１、補強部材２２、取付部２３、及び人工芝２４は、軟質性又は硬質性の無色透明又は着色半透明な樹脂等で一体的に形成する。円環板を取付部２３に嵌め込んでフランジ２３ａを形成する場合にも、フランジ２３ａの材質は同様に軟質性又は硬質性の無色透明又は着色半透明な樹脂等とする。特にベース部２が人工芝２４を有し、発光パネル１を路面等に敷設する場合等においては、人工芝２４に柔軟性があることが求められるので、軟質性の樹脂等を用いると良い。ベース部２には、例えばポリエチレン（ＰＥ）、ポリ塩化ビニル（ＰＶＣ）、ポリプロピレン（ＰＰ）、ポリカーボネート（ＰＣ）、ポリエチレンテレフタレート（ＰＥＴ）、アクリロニトリル−スチレン共重合体（ＡＳ）、エチレン・酢酸ビニル共重合体（ＥＶＡ）等の樹脂材料を用いる。
【００２３】
ベース部２は、無色透明又は着色半透明であり、一面側（Ｓ１側）から他面側（Ｓ２側）へ光を透過する。ベース部２の光透過率は、６０％以上１００％以下であることが好ましいが、この範囲に限られるものではない。
【００２４】
蓄光部３は、円筒状をなし、入射した光を蓄積する粉末状の蓄光剤を樹脂に練り込んだ材料で形成されている。蓄光部３は、内径がベース部２の取付部２３の外径とほぼ等しく、取付部２３に外挿し、ベース部２側の一端が取付部２３のフランジ２３ａに接触するように取り付けられる。尚、フランジ２３ａの外径は、蓄光部３の外径よりも大きい。
【００２５】
蓄光剤は、例えばカルシウム、ストロンチウム、バリウム、マグネシウムなどのアルカリ土類金属の珪酸塩を母体とし、これに賦活剤としてユウロピウム、ランタン、セリウム、プラセオジウム、ネオジウム、サマリウム、ガドリニウム、テルビウム、ジスプロシウム、ホルミウム、エルビウム、ツリウム、イッテルビウム、ルテチウム、マンガン、スズ、ビスマス等を添加したもの等を用いる。また、蓄光剤を練り込む樹脂には、上述のポリエチレン（ＰＥ）、ポリ塩化ビニル（ＰＶＣ）、ポリプロピレン（ＰＰ）、ポリカーボネート（ＰＣ）、ポリエチレンテレフタレート（ＰＥＴ）、アクリロニトリル−スチレン共重合体（ＡＳ）、エチレン・酢酸ビニル共重合体（ＥＶＡ）等の各種樹脂を用いる。
【００２６】
蓄光部３は、ベース部２に設けられた複数の取付部２３の任意の箇所に取り付けることができる。図１Ａ及び図１Ｂに示す発光パネル１では、ベース部２の取付部２３を１つとばしで間隔を空けて、蓄光部３を取り付けており、縦横に５個ずつ、合計２５箇所に蓄光部３を配置している。蓄光部３を多数とするほど発光パネル１全体の明るさが増す。
【００２７】
カバー部４は、内径が蓄光部３の外径にほぼ等しい有底円筒状をなし、白色等で着色された樹脂等の材料で形成されている。カバー部４の材料は、上述のポリエチレン（ＰＥ）、ポリ塩化ビニル（ＰＶＣ）、ポリプロピレン（ＰＰ）、ポリカーボネート（ＰＣ）、ポリエチレンテレフタレート（ＰＥＴ）、アクリロニトリル−スチレン共重合体（ＡＳ）、エチレン・酢酸ビニル共重合体（ＥＶＡ）等の各種樹脂に、種々の着色剤（各種の顔料や染料）を含有させたものを用いる。
【００２８】
カバー部４は、ベース部２の取付部２３に取り付けられた蓄光部３に外挿されており、蓄光部３の周側部及び端部底面を覆い、一端部で取付部２３のフランジ２３ａに接触する。蓄光部３は、フランジ２３ａを含む取付部２３、及びカバー部４によって周囲が覆われることで密閉される。カバー部４は、中心軸上に底部から円柱状の突起部４ａが設けられており、突起部４ａは取付部２３の中空孔に嵌合する。カバー部４は、白色等で着色してあることにより、蓄光部３から発せられる光、及び蓄光部３を透過した光を内周面で反射して隠蔽する。カバー部４は、蓄光部３に光を隠蔽することから、一般的に隠蔽層と呼ばれる。
【００２９】
次に発光パネル１の動作について説明する。発光パネル１は、ベース部２が透明ないし半透明な材質で形成されているため、ベース部２の一面側（Ｓ１側）から入射した太陽や照明等の光が他面側（Ｓ２側）へ透過する。ベース部２の他面側（Ｓ２側）に透過した光は、該他面側に配置した蓄光部３に入射し、蓄積される。カバー部４は、蓄光部３から発せられた光、及び蓄光部３を透過した光を内周面で反射し、再び蓄光部３へ入射させて光を隠蔽することで、蓄光部３の発光量を高める機能を有する。
【００３０】
発光パネル１は、夜間又は消灯後の暗がりの中で発光し、人の誘導に用いられる。例えば、複数の発光パネル１を避難経路に沿って、路面及び壁面に連続的又は離散的に配置することによって、避難経路が視覚的に認識可能となる。更には夜間の街灯が無い無電化地域の道路に沿って、路面及び壁面に連続的又は離散的に配置することによって、道路の視認性が高まるとともに、道路周辺が明るくなって防犯性が高まる。
【００３１】
また、蓄光部３をベース部２の特定の取付部２３に配置することによっては、特定の記号や文字などを視覚的に表示することもできる。図４は１つの発光パネル１による表示機能を説明するための模式図、図５は複数の発光パネル１による表示機能を説明するための模式図である。図４及び図５においては、説明の簡略化のため、発光パネル１におけるベース部２の取付部２３は縦横それぞれ５箇所、合計２５箇所とし、蓄光部３を配置した箇所を白抜き丸印、蓄光部３を配置していない箇所を黒丸印で示す。
【００３２】
図４において、Ａの発光パネル１は一辺に沿う単純な矢印を表示し、Ｂは対角線方向の矢印を、Ｃは強調された矢印を表示する。また、Ｄの発光パネル１は文字Ｘを、Ｅは文字Ｎを、Ｆはひし形の記号を表示する。このように１つの発光パネル１を用いて、様々な文字や記号等を表示することが可能である。また、図５に示すように複数の発光パネル１を組み合わせて、全体として、特定の表示をさせることも可能である。図５に示す発光パネル１は、左下段及び左中段に配置した発光パネル１によって「直進」を、左上段及び右上段に配置した発光パネル１によって「右折」を表し、全体として「直進して右折する」ことを表示する。
【００３３】
以上のとおり、本実施形態によれば、発光パネル１は、矩形板状のベース部２と、ベース部２に取り付けられる複数の蓄光部３と、蓄光部３を覆うカバー部４とを備える。ベース部２は、一面側（Ｓ１側）から他面側（Ｓ２側）へ光を透過する材質で形成されており、他面側（Ｓ２側）に蓄光部３を取り付ける複数の取付部２３を有する。このため、太陽や照明等の光源から照射された光は、ベース部２の一面側（Ｓ１側）に入射し、ベース部２を透過して他面側（Ｓ２側）に取り付けた蓄光部３に蓄積される。光源からの光が入射するベース部２の一面側（Ｓ１側）が外部に露出するように配置される場合に、蓄光部３は、ベース部２の他面側（Ｓ２側）に配置されているため、外部から保護される。
【００３４】
また本実施形態によれば、蓄光部３が、ベース部２（フランジ２３ａを含む取付部２３）、及びカバー部４によって周囲が覆われて密閉されているので、外部環境の影響による経年劣化が抑制される。
【００３５】
また本実施形態によれば、ベース部２が軟質材で形成されているので、凹凸のある路面に発光パネル１を敷設した場合に、荷重を受けても柔軟に変形して破損を防止することができる。更に発光パネル１は、柔軟に変形させることによって曲面状の壁面に対して貼り付けることができる。
【００３６】
また本実施形態によれば、発光パネル１は、白色等で着色されたカバー部４が蓄光部３に光を隠蔽する隠蔽層として機能し、蓄光部３の発光量を高めることができる。
【００３７】
（実施の形態２）
本発明の実施の形態２に係る発光パネル１では、蓄光部３を円柱状とし、ベース部２の取付部２３に蓄光部３を収容するようにした。図６は本発明の実施の形態２に係る発光パネル１の一部の分解斜視図、図７は図６のＹ−Ｙ線による発光パネル１の断面図である。尚、実施の形態２における取付部２３、蓄光部３及びカバー部４以外の発光パネル１の構成及び動作は、実施の形態１における発光パネル１の構成及び動作と同等であり、記載の簡潔化のため説明を省略する。
【００３８】
取付部２３は有底円筒状をなし、ベース部２の他面側（Ｓ２側）における格子部材２１の格子点に設けられている。取付部２３は、格子部材２１の格子点の全ての箇所、又は蓄光部３を配置する箇所に設ける。尚、格子部材２１の格子点のうち取付部２３を設けていない箇所にも筒状又は柱状の脚部５０を設けるとよい。ベース部２における格子部材２１、補強部材２２、取付部２３、及び人工芝２４は、軟質性又は硬質性の無色透明又は着色半透明な樹脂等で一体的に成形する。ベース部２は、無色透明又は着色半透明であり、一面側から他面側へ光を透過する。ベース部２の光透過率は、６０％以上１００％以下であることが好ましいが、この範囲に限られるものではない。ベース部２の材料には、実施の形態１で挙げた各種の樹脂等を用いる。
【００３９】
蓄光部３は、円柱状をなし、入射した光を蓄積する粉末状の蓄光剤を樹脂に練り込んだ材料で形成されている。蓄光部３は、外径がベース部２の取付部２３の内径より小さく、取付部２３内に収容され、ベース部２側の一端が取付部２３の底部２３ｂに接触するように取り付けられる。蓄光部３は、ベース部２に設けられた複数の取付部２３の任意の箇所に取り付けることができる。蓄光剤の材料及び蓄光剤を練り込む樹脂材は、実施の形態１と同等であり、記載の簡潔化のため説明を省略する。
【００４０】
カバー部４は、内径が蓄光部３の外径にほぼ等しい有底円筒状をなし、白色等で着色された樹脂等の材料で形成されている。カバー部４は、筒部分の外径がベース部２の取付部２３の内径にほぼ等しく、取付部２３に内挿される。カバー部４は、蓄光部３に外挿されており、蓄光部３の周側部及び端部底面を覆い、底部に設けた環状のフランジで取付部２３の端面に接触する。カバー部４の材料及び着色剤は、実施の形態１と同等であり、記載の簡潔化のため説明を省略する。
【００４１】
蓄光部３は、取付部２３及びカバー部４によって周囲が覆われることで密閉される。カバー部４は、白色等で着色してあることにより、蓄光部３から発せられる光、及び蓄光部３を透過した光を内周面で反射して隠蔽する。
【００４２】
発光パネル１は、ベース部２が透明ないし半透明な材質で形成されているため、ベース部２の一面側（Ｓ１側）から入射した太陽や照明等の光が他面側（Ｓ２側）へ透過する。ベース部２の他面側（Ｓ２側）に透過した光は、該他面側に配置した蓄光部３に入射し、蓄積される。カバー部４は、蓄光部３から発せられた光、及び蓄光部３を透過した光を内周面で反射し、再び蓄光部３へ入射させて光を隠蔽することで、蓄光部３の発光量を高める機能を有する。
【００４３】
以上のとおり、本実施形態によれば、ベース部２の取付部２３は円筒状をなし、蓄光部３は円柱状をなす。蓄光部３は取付部２３に収容されている。円柱状の蓄光部３は、例えば、蓄光剤を含有した樹脂等の材料を押出成形して棒状に加工し、軸方向に所定寸法で切断することで安価に製造することができるので、発光パネル１の製造コストが低減化される。
【００４４】
（実施の形態３）
本発明の実施の形態３に係る発光パネル１は、カバー部４を一体化して矩形板状に構成したものである。図８は本発明の実施の形態３に係る発光パネル１の外観を示す斜視図、図９は発光パネル１の分解斜視図、図１０は図８のＺ−Ｚ線による発光パネル１の断面図である。
【００４５】
発光パネル１は、ベース部２、蓄光部３、及びカバー部４を備える。ベース部２は矩形板状をなし、一面側（Ｓ１側）に突起する載頭円錐形の取付部２５を有する。図８に示すベース部２は、縦横それぞれ３箇所、合計９箇所に取付部２５を有する。蓄光部３はベース部２の他面側（Ｓ２側）における取付部２５の凹所に取り付けられる。
【００４６】
ベース部２は、軟質性又は硬質性の無色透明又は着色半透明な樹脂等で一体的に成形する。ベース部２は、無色透明又は着色半透明であり、一面側（Ｓ１側）から他面側（Ｓ２側）へ光を透過する。ベース部２の光透過率は、６０％〜１００％であることが好ましいが、この範囲に限られるものではない。ベース部２の材料には、実施の形態１で挙げた各種の樹脂等を用いる。
【００４７】
蓄光部３は、円柱状をなし、入射した光を蓄積する粉末状の蓄光剤を樹脂に練り込んだ材料で形成されている。蓄光部３は、周側部に隠蔽層３ａを有していてもよい。蓄光部３は、ベース部２に設けられた複数の取付部２５の任意の箇所に取り付けることができる。蓄光部３を多数とするほど発光パネル１全体の明るさが増す。蓄光剤の材料及び蓄光剤を練り込む樹脂材は、実施の形態１と同等であり、記載の簡潔化のため説明を省略する。
【００４８】
カバー部４は、矩形板状をなし、白色等で着色された樹脂等の材料で形成されている。カバー部４は、ベース部２の取付部２５に対応する位置にそれぞれ円形の凹部４１を有し、凹部４１に各蓄光部３が嵌め合わされる。蓄光部３は、ベース部２とカバー部４によって挟まれて周囲が覆われることで密閉される。カバー部４の材料及び着色剤は、実施の形態１と同等であり、記載の簡潔化のため説明を省略する。
【００４９】
カバー部４は、複数の取付穴４２を有しており、ベース部２の他面側（Ｓ２側）に設けた突起部（図示略）を挿入することにより、ベース部２に取り付けられる。また、カバー部４は周囲に連結爪４３及び係合部４４を有する。発光パネル１を複数並べて配置する場合には、連結爪４３を係合部４４に係合させ、複数の発光パネル１を連結することができる。
【００５０】
カバー部４は、白色等で着色してあることにより、蓄光部３から発せられる光、及び蓄光部３を透過した光を内周面で反射して隠蔽する。尚、蓄光部３が周側部に隠蔽層３ａを有する場合には、カバー部４は、白色等で着色されている必要はなく、例えば透明又は半透明であってもよい。
【００５１】
発光パネル１は、実施の形態１における発光パネル１と同様に動作し、ベース部２の一面側（Ｓ１側）から入射した太陽や照明等の光が他面側（Ｓ２側）へ透過し、蓄光部３に蓄積される。カバー部４は、蓄光部３から発せられた光、及び蓄光部３を透過した光を内周面で反射し、再び蓄光部３へ入射させて光を隠蔽することで、蓄光部３の発光量を高める機能を有する。
【００５２】
発光パネル１は、夜間又は消灯後の暗がりの中で発光することにより、人の誘導に用いることができ、また道路の視認性を高めるとともに、道路周辺が明るくなって防犯性が高まる。また、蓄光部３をベース部２の特定の取付部２５に配置することによって、特定の記号や文字などを視覚的に表示することもできる。
【００５３】
以上のとおり、本実施形態によれば、カバー部４は板状をなし、複数の蓄光部３に嵌め合う複数の凹部４１を有する。カバー部４を複数の凹部４１を有する一体の部品とすることによって、カバー部４の数量が少なくなり、発光パネル１の部品点数を減らすことができる。
【００５４】
（変形例）
上述の実施形態では、蓄光部３の形状を円筒状又は円柱状としているが、角筒状又は角柱状とすることができ、蓄光部３の形状に合わせて、ベース部２の取付部２３及び２５の形状、並びにカバー部４の形状を適宜変更してもよい。
【００５５】
また、蓄光部３の周側部に白色等で着色された隠蔽層を設けるようにしてもよい。隠蔽層は、蓄光剤を含有した樹脂とともに、白色に着色された樹脂を押出成形することにより、蓄光部３の周側部に形成することができる。隠蔽層の材料には、上述のポリエチレン（ＰＥ）、ポリ塩化ビニル（ＰＶＣ）、ポリプロピレン（ＰＰ）、ポリカーボネート（ＰＣ）、ポリエチレンテレフタレート（ＰＥＴ）、アクリロニトリル−スチレン共重合体（ＡＳ）、エチレン・酢酸ビニル共重合体（ＥＶＡ）等の各種樹脂に、種々の着色剤（各種の顔料や染料）を含有させたものを用いる。蓄光部３は、周側部に設けた隠蔽層によって発光量が高められる。蓄光部３の周側部に隠蔽層を設けた場合、カバー部４は、白色等で着色されている必要はなく、透明又は半透明としてもよい。カバー部４を透明又は半透明とした場合には、カバー部４側から太陽光や照明の光が入射するようにして発光パネルを使用することもできる。
【００５６】
尚、本発明は、上述の実施形態に限ることなく、特許請求の範囲に記載された発明の技術範囲及びそれと均等な範囲に及ぶものとする。
【符号の説明】
【００５７】
１  発光パネル
２  ベース部
２３  取付部
３  蓄光部
３ａ  隠蔽層
４  カバー部
４１  凹部
【図１】
2016149293.tif 000003
【図２】
2016149293.tif 000004
【図３】
2016149293.tif 000005
【図４】
2016149293.tif 000006
【図５】
2016149293.tif 000007
【図６】
2016149293.tif 000008
【図７】
2016149293.tif 000009
【図８】
2016149293.tif 000010
【図９】
2016149293.tif 000011
【図１０】
2016149293.tif 000012